(57)【要約】      （修正有）【課題】手でハンドルを上下すると、錘が扇形運動をしながら回転運動を始める。この回転運動を下の遊具やおもちゃのメリーゴーランド等にどのように減速や増速して伝える方法、又、回転エネルギーで他の動くおもちゃやからくりを動かす方法の提供。【解決手段】ハンドル１０の上下運動から支柱の高さの違いから、中心軸より横にある錘１２が、安全ケースの中で回転運動をして、プーリー１６、Ｏリング１７、プーリー１６で減速や増速して、Ｏリング１７をねじりながら、メリーゴーラウンド等の遊具やおもちゃを回転させる。又、錘の回転運動を歯車で変速して、自由継手やスプリング継手で下部に継ぎ、フレキシブルワイヤー等で他の遊具やおもちゃのからくりを回転する装置。【選択図】図１
2007170368.tif 000002
【特許請求の範囲】
【請求項１】
手でハンドルを上下すると移動支柱等で右と左の高さを変えて、静止の時に中心軸より横にある安全ケースの中の錘が回転運動をする装置。
【請求項２】
錘が回転運動をして、プーリー、Ｏリング、プーリーで減速や増速して、Ｏリングをねじりながら、メリーゴーランド等を回転させる遊具やおもちゃの装置
【請求項３】
錘の回転運動を歯車で減速や増速して、自由継手やスプリング継手で下部に継ぎ、フレキシブルワイヤーで他の遊具やおもちゃのからくりを回転する装置。
【発明の詳細な説明】
【技術分野】
【０００１】  本発明は、手で上下運動又は前後運動を加えるだけで、錘の重力を利用した回転装置を使用した遊具とおもちゃである。手で回転させるおもちゃは、クランク式のハンドルを回すものや、丸歯車を平歯車で押して回すものがある。ゼンマイを回すもの、電池を使ったボタンを押すおもちゃが主流で、人の手で回転させるおもちゃは少ない。又、上下運動で回転する遊具はない。
【背景技術】
【０００２】  従来の手で回す回転装置は、クランク式のハンドルを回すもので、上下運動を加えるだけで、回転するおもちゃは少ない。又、上下運動で回転する遊具もない。前回の特許申請中文献１の重力からエネルギーを取り出す装置や、手続補正特許申請中文献２の上下運動から重力を利用した回転装置が開示されている。
［特許申請中文献１］
特開２００１−１３４６８１号広報
［手続補正特許申請中文献２］
特開２００２−２８５９５３号広報
【発明の開示】
【発明が解決しようとする課題】
【０００３】  手で上下運動を加えると錘が扇形運動をしながら回転運動を始める。この回転運動を下部の固定したおもちゃのメリーゴーランドに減速や増速して伝えるかが重要である。又、回転エネルギーで他の動くおもちゃやからくりを動かすことが課題である。錘が静止の時に中心軸と同じ位置で初動しない。
【課題を解決するための手段】
【０００４】  この課題の解決は錘の回転しながら扇形運動をする部分と、下部の固定した回転部分に減速して継ぐのは、プーリーとＯルングで継ぐのと、歯車で減速や増速してスプリング等で継ぐのとがある。又、遊具では自由継手で継ぐのもある。他の動く遊具やおもちゃへはフレキシブルワイヤー等がよい。又、安全のため錘はケースの中で回転させる。初動時の錘の位置は支柱等で右と左の高さを変えて静止の時に中心軸より横にする。
【発明の効果】
【０００５】  本発明は、遊具やおもちゃを手で上下運動を加えるだけで錘が回転運動を始め、下部の遊具部分のメリーゴーランド等や他のからくりを回転させて、人の手で遊園地の乗り物を動かす楽しさがある。
【発明を実施するための最良の形態】
【０００６】  図１は、正面図で、手でハンドルを上下すると錘が回転運動を始めて、プーリー、Ｏリング、プーリーと減速して伝わり、Ｏリングをねじりながら、固定したメリーゴーランド等を回転させる。錘は安全のためケースの中で回転させる。【０００７】  図２は、正面図で、錘の回転運動を歯車で減速して、自由継手やスプリング継手で下部の固定した回転運動にして、フレキシブルワイヤー等で他の遊具やおもちゃを回転させる。
【産業上の利用可能性】
【０００８】  本発明は、おもちゃでは、台は木材の加工をケースはプラスチックを、支柱はアルミの切断、穴あけ、メッキと色々な材料を使い産業上の利用可能性がある。子供だけでなく大人でも仕事で疲れた頭は手を動かす事で休まる。【０００９】  遊具では、プラスチックケースの加工や、鉄の切断、穴あけ、溶接などがあり手づくりで産業上の利用可能性がある。科学館等で子供の遊具として利用できる。
【図面の簡単な説明】
【００１０】
【図１】  上部と下部をプーリーとＯリングで減速して継いだ正面図である。
【図２】  歯車で減速して上部と下部をスプリングで継いだ正面図である。
【符号の説明】
【００１１】  １  台座    ２  台支柱    ３  横金具    ４  固定軸受金具    ５  ストッパー    ６  支柱軸    ７  移動支柱    ８  移動軸受金具    ９  安全ケース    １０  ハンドル    １１  錘取り付け金具    １２  錘    １３  移動軸    １４  プーリー受け金具    １５  プーリー軸    １６  プーリー    １７  Ｏリング    １８  固定軸    １９  飾り軸    ２０  回転ベース    ２１  歯車ケース    ２２  歯車    ２３  スプリング自由継手    ２４  フレキシブルワイヤー
【図１】
2007170368.tif 000003
【図２】
2007170368.tif 000004
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
手でハンドルを上下すると回転支柱と台支柱の右と左の高さを変えて、正面から見て静止の時に中心軸より横にある錘が透明安全ケースの中で回転運動をする装置。
【請求項２】
錘が回転運動をして、プーリー、Ｏリング（ベルト）、プーリーで減速や増速して、Ｏリングやベルトをねじりながら、メリーゴーランド等を回転させる遊具やオモチャの装置
【請求項３】
錘の回転運動を歯車で減速や増速して、自由継手やゴム継手で下部につなぎ、フレキシブルワイヤーで他の遊具やオモチャのからくり人形等が回転する遊具やオモチャの装置。
【手続補正２】
【補正対象書類名】明細書
【補正対象項目名】全文
【補正方法】変更
【補正の内容】
【発明の詳細な説明】
【技術分野】
【０００１】  本発明は、手でハンドルに上下運動を加えるだけで、錘の重力を利用した回転装置を使用した遊具とオモチャである。手で回転させるオモチャは、メリーゴーランドや回転ブランコ等、遊園地の回転するものがある。遊具は身体を使ってハンドルを上下してメリーゴーランドを回して遊ぶ遊具ができる。
【背景技術】
【０００２】  従来の手で回す回転オモチャは、クランク式のハンドルを回すものとか、丸歯車を平歯車で押して回すものがある。ゼンマイで動くオモチャ、電池を使ったボタンを押すだけで動くオモチャが主流である。遊具では自転車を改良した足で踏んで遊ぶ遊具が多い。【０００３】前回の特許申請中文献の上下運動から重力を利用した回転装置が開示されている。
【特許申請中文献】
特開２００１−１３４６８１号広報
【発明の開示】
【発明が解決しようとする課題】
【０００４】  手でハンドルに上下運動を加えると錘が扇形運動をしながら回転運動を始める。この回転運動を下部の固定したオモチャのメリーゴーランドに減速や増速して伝えるかが重要である。又、回転エネルギーで他の動くオモチャやからくり人形を動かすことが課題である。錘が静止の時に中心軸と同じ位置では初動しない。
【課題を解決するための手段】
【０００５】  この課題の解決は錘の回転しながら扇形運動をする部分と、下部の固定した回転部分に減速して継ぐのは、プーリーとＯルングやベルトで継ぐのと、歯車で減速や増速してゴム継手や自由継手で継ぐのとがある。【０００６】  遊具ではゴム継手や自由継手で継ぐ。他の動く遊具やオモチャへはフレキシブルワイヤーやベルトでつなぎ、他のからくり人形や遊具を動かして遊ぶことができる。安全のため錘は透明安全ケースの中で回転させる。初動時の錘の位置は台支柱と回転支柱で右と左の高さを変えて、正面から見て静止の時に錘の位置を中心軸より横にする。
【発明の効果】
【０００７】  以上説明したように本発明によれば、遊具やオモチャを手でハンドルに上下運動を加えると、左右の回転支柱と台支柱の高さの違いから初動の時に錘がゆっくりと回転運動を始める、下部のオモチャのメリーゴーランドやブランコにイノシシやトラ等の動物や人形を置いて回転する。又、フレキシブルワイヤーで他のオモチャや遊具を動かす。人の手で遊園地の遊具を動かす楽しさがある。遊具とオモチャは大きさは異なるが形は同じです。
【発明を実施するための最良の形態】
【０００８】  図１と図３は、メリーゴーランドの正面図と側面図です、台座１の左右に台支柱２を取りつけ、回転支柱７が扇運動で動くように支柱軸６で台支柱２に取りつける、回転支柱７の右と左の高さを変えて、正面から見て静止の時に錘１２が中心軸１３より横にして、初動で錘１２が動くようにする。【０００９】  台支柱２には回転支柱７のストッパー５を取りつけて、倒れすぎないように小さいオモチャでは角度３０度位に、大きい遊具では角度１５度位にストッパー５の幅を調節する。【０００９】  左右の台支柱２の間を横金具３で固定する、横金具３の中央に固定軸受金具４を取りつける、固定軸１８のプーリー１６の高さは支柱軸６の高さに固定軸受金具４で調整する、固定軸１８には上部にプーリー１６、中央に飾り軸１９、下部に置物をのせる回転ベース２０を付け先端を台座１の穴に入れて回転する。【００１０】  オモチャでは、中心軸１３とプーリー軸１５と固定軸１８は４ｍｍの長ネジを使用して、両端に内径４ｍｍのベアリングを使用しています。【００１１】  手でハンドル１０を上下すると錘１２が回転運動を始めて、プーリー１６、Ｏリング１７、プーリー１６と減速して伝わり、Ｏリング１７をねじりながら、固定したプーリー１６に伝わり飾り軸１９、回転ベース２０のメリーゴーランドを回転させる。錘１２は安全のため透明安全ケース９の中で回転させる。【００１２】  図３では、錘１２の入った透明安全ケース９は支柱軸６で、少し斜めの静止の状態で図面にしてあります。図１では、錘の構造を示すためにハンドルの位置を上に向けてあります。メリーゴーランドの回転ベース２０にはマジックテープのメスが付けてあり、イノシシや馬の置物が回転する。遊具ではＯリング１７をＶベルトに替えて伝達力を強くする。【００１３】  図２と図４は、歯車２２と自由継手２３を使った正面図と側面図です、錘１２の回転運動を歯車２２で減速して、支柱軸６と同じ高さに設置した、自由継手２３やゴム継手で下部の固定した回転にして伝える。【００１４】  左右の台支柱２の間に設置した横金具３の中央の固定軸受金具４に、フレキシブルワイヤー２４で他の遊具やオモチャを回転させる。透明安全ケース９の中で減速するのではなく、固定軸受金具４の所で歯車２２を使って減速しても同じです。
【産業上の利用可能性】
【００１５】  本発明は、オモチャでは、子供だけでなく大人でも仕事で疲れた頭を、手を動かす事で休めることができる。また、置物としてメリーゴーランドの回転ベースに動物や乗物など、置物として楽しむことができる。【００１６】  遊具では、初動に技術が必要なので、子供達が面白く遊ぶのではないか、またおもりと重力の関係を学びながら遊べるのではないか。科学館等で子供の遊具として利用できる。
【図面の簡単な説明】
【００１７】
【図１】上部と下部をプーリーとＯリングで減速して継いだ正面図である。
【図２】歯車で減速して上部と下部を自由継手で継いだ正面図である。
【図３】図１の側面図である。
【図４】図２の側面図である。
【符号の説明】
【００１８】  １  台座    ２  台支柱    ３  横金具    ４  固定軸受金具    ５  ストッパー    ６  支柱軸    ７  回転支柱    ８  移動軸受金具    ９  透明安全ケース    １０  ハンドル    １１  錘取り付け金具    １２  錘    １３  中心軸    １４  プーリー受け金具    １５  プーリー軸    １６  プーリー    １７  Ｏリング    １８  固定軸    １９  飾り軸    ２０  回転ベース    ２１  歯車ケース    ２２  歯車    ２３  自由継手    ２４  フレキシブルワイヤー
【手続補正３】
【補正対象書類名】図面
【補正対象項目名】全図
【補正方法】追加
【補正の内容】
【図１】
2007170368.tif 000005
【図２】
2007170368.tif 000006
【図３】
2007170368.tif 000007
【図４】
2007170368.tif 000008